(57)【要約】【課題】  奥歯の歯列の外側面を視認又は撮影するとともに、口腔内における上あご側の歯列の広い部分を視認又は撮影することに使用できるデンタルミラーを提供すること。【解決手段】  板状長尺部１０の一端側に、長尺部１０より広幅の板状膨大部２０を設け、長尺部１０と膨大部２０の表面を鏡面１１、２１にしたデンタルミラー１であって、長尺部１０は上下の歯列の上下合計高さと概ね同一幅、かつ奥歯〜前歯の奥行き長さより大きな長さをなし、膨大部２０は左右の奥歯の外幅より狭く、内幅より広い幅、かつ奥歯〜前歯の奥行き長さより大きな長さをなすもの。【選択図】  図１
0003149143.tif 000002
【実用新案登録請求の範囲】
【請求項１】
板状長尺部の一端側に、長尺部より広幅の板状膨大部を設け、長尺部と膨大部の表面を鏡面にしたデンタルミラーであって、
長尺部は上下の歯列の上下合計高さと概ね同一幅、かつ奥歯〜前歯の奥行き長さより大きな長さをなし、
膨大部は左右の奥歯の外幅より狭く、内幅より広い幅、かつ奥歯〜前歯の奥行き長さより大きな長さをなすデンタルミラー。
【請求項２】
膨大部の鏡面が凸面鏡をなす請求項１に記載のデンタルミラー。
【請求項３】
前記長尺部の軸方向に垂直な横幅と膨大部の凸面鏡にした鏡面の曲率半径との比が1：1.4〜1：2.2である請求項２に記載のデンタルミラー。
【請求項４】
膨大部の凸面鏡にした鏡面の曲率半径が55〜110mmであって、前記長尺部の軸方向に垂直な横幅が40〜60mmである請求項２又は３に記載のデンタルミラー。
【考案の詳細な説明】
【技術分野】
【０００１】
本考案は歯科医師が歯列を視認又は撮影するために用いるデンタルミラーに関する。
【背景技術】
【０００２】
歯科治療に用いられるデンタルミラーとして、特許文献１、２に記載のものがある。
特許文献１に記載のデンタルミラーは、長尺金属板の表面に鏡部を設け、口腔内における奥歯の歯列の横外方に位置され、頬肉を内方から外方へ押し、かつ口を大きく押し開きながら、奥歯の歯列の外側面を鏡部に映し出して視認したり、写真撮影するものである。
【０００３】
特許文献２に記載のデンタルミラーは、柄の先端の円環内に鏡部を設け、口腔内における特定の歯の裏側の狭い部分に鏡部を入れ、その特定の歯の裏側の患部を鏡部に映し出して視認するものである。
【特許文献１】実開平4-124104
【特許文献２】特開2006-325701
【考案の開示】
【考案が解決しようとする課題】
【０００４】
特許文献１に記載のデンタルミラーは、奥歯の歯列の外側面を視認又は撮影できるものの、口腔内の上あご側の歯列の広い範囲を視認又は撮影するのに使用できない。
【０００５】
特許文献２に記載のデンタルミラーは、口腔内における特定の歯の裏側の狭い部分を視認できるに過ぎず、口腔内の上あご側の歯列の広い範囲を視認又は撮影するのに使用できない。また、奥歯の歯列の外側面を視認又は撮影することにも使用できない。
【０００６】
本考案の課題は、奥歯の歯列の外側面を視認又は撮影するとともに、口腔内における上あご側の歯列の広い部分を視認又は撮影することに使用できるデンタルミラーを提供することにある。
【課題を解決するための手段】
【０００７】
請求項１の考案は、板状長尺部の一端側に、長尺部より広幅の板状膨大部を設け、長尺部と膨大部の表面を鏡面にしたデンタルミラーであって、長尺部は上下の歯列の上下合計高さと概ね同一幅、かつ奥歯〜前歯の奥行き長さより大きな長さをなし、膨大部は左右の奥歯の外幅より狭く、内幅より広い幅、かつ奥歯〜前歯の奥行き長さより大きな長さをなすようにしたものである。
【考案を実施するための最良の形態】
【０００８】
デンタルミラー１は、板状長尺部１０の一端側に、長尺部１０より広幅の板状膨大部２０を設け、長尺部１０と膨大部２０の表面（表裏両面でも可）を鏡面１１、２１としている。本実施例において、膨大部２０の表面の鏡面２１は一定曲率の凸面鏡２１Ａをなす。
【０００９】
デンタルミラー１は、長尺部１０と膨大部２０を単一素材により一体成形し、鏡面１１と鏡面２１を互いに連続をなすように設けている。長尺部１０と膨大部２０は、例えばSUS316等ステンレス等の金属板、又はガラス板等から加工される。鏡面１１と鏡面２１は、ロジウム等によりメッキ加工され、メッキ加工を長尺部１０と膨大部２０の表面全体に設けて形成される。
【００１０】
長尺部１０は、図２に示す如く、口腔内における奥歯１０１（上奥歯１０１Ａ、下奥歯１０１Ｂ）の歯列の横外方に位置され、頬肉を内方から外方へ押し、かつ口を大きく押し開きながら、奥歯１０１の歯列の外側面及び歯肉を鏡面１１に映し出して視認したり、撮影するのに用いられる。このとき、診察台の照明の光、又はカメラのフラッシュの光が鏡面１１及び鏡面２１（凸面鏡２１Ａ）で反射されて口腔内における奥歯１０１の歯列の外側面に投射され、歯列及び歯肉を明瞭に視認、撮影できる。膨大部２０は全体で凸面鏡２１Ａをなし、凸面鏡２１Ａは少なくとも周縁から半径の80％〜100％の範囲の幅において概ね同じ曲率半径で形成され、好ましくは凸面鏡２１Ａ全体が同じ曲率半径で形成され、これにより凸面鏡２１Ａに写し撮影した映像を実際の大きさに画像修正容易とする。
【００１１】
長尺部１０は、上下の歯列の上下合計高さ（上下の歯肉を含む）（Ｈ）と概ね同一幅Ａ１、かつ奥歯１０１〜前歯１０２の奥行き長さ（Ｌ）より大きな長さＡ２をなす。長尺部１０の幅（軸方向に直交する横幅）は頬肉と歯の間への挿入し易さの観点から20〜28mmであることが好ましい。
【００１２】
膨大部２０は、図３に示す如く、開口した口腔内に挿入され、口腔内の上あご側の歯列（奥歯１０１及び前歯１０２）及び歯肉を広い範囲に渡って鏡面２１（凸面鏡２１Ａ）に映し出し、視認したり、撮影するのに用いられる。このとき、診察台の照明の光、又はカメラのフラッシュの光が鏡面１１及び鏡面２１（凸面鏡２１Ａ）で反射されて口腔内に導入され、歯列及び歯肉を明瞭に視認、撮影できる。
【００１３】
膨大部２０は、長尺部１０に直交する長さが、上の歯の左右の奥歯１０１、１０１の外幅Ｗ１より狭く、下の歯の左右の奥歯の内幅Ｗ２より広い幅Ｘであり、かつ、長尺部１０の軸方向に沿う長さＹが奥歯１０１〜前歯１０２の奥行き長さ（Ｌ）より大きな長さをなす。本実施例の膨大部２０は、直径Ｄ（Ｄ＝Ｘ＝Ｙ）の円板をなす。膨大部２０は、長尺部１０の軸方向に直交する横幅Ｘが40〜60mmであって、凸面鏡２１Ａの曲率半径Ｒは55〜110mmであることが、歯列の裏全体を視認できる観点から好ましい。膨大部２０の凸面鏡２１Ａの横幅Ｘと曲率半径Ｒとの比（Ｘ：Ｒ）が1：1.4〜1：2.2であるものが歯列の裏全体を視認できる観点から好ましい。
【００１４】
膨大部２０の長尺部１０の軸方向に沿う長さＹは40〜60mmであるものが好ましい。
なお、デンタルミラー１は、長尺部１０の自由端の外縁に丸味を設け、膨大部２０の外縁を円形とし、長尺部１０と膨大部２０の接続部に丸味を設けることにより、口腔内への挿入のスムースを図っている。
【００１５】
本実施例によれば以下の作用効果を奏する。
(a)デンタルミラー１が、長尺部１０と膨大部２０を有し、長尺部１０と膨大部２０のそれぞれに鏡面１１、２１を設けた。
【００１６】
従って、長尺部１０の鏡面１１により奥歯１０１の歯列の外側面を視認又は撮影するとともに、膨大部２０の鏡面２１により口腔内における上あご側の歯列の広い部分を視認又は撮影することができる。
【００１７】
また、長尺部１０の鏡面１１により奥歯１０１の歯列の外側面を視認又は撮影するとき、診察台の照明の光、又はカメラのフラッシュの光が鏡面１１だけでなく鏡面２１（凸面鏡２１Ａ）によっても反射されて口腔内に投射され、奥歯１０１の歯列の外側面を一層明瞭に視認又は撮影できる。
【００１８】
また、膨大部２０の鏡面２１により口腔内における上あご側の歯列の広い部分を視認又は撮影するとき、診察台の照明の光、又はカメラのフラッシュの光が鏡面２１だけでなく鏡面１１によっても反射されて口腔内に導入され、口腔内における上あご側の歯列の広い部分を明るくして一層明瞭に視認又は撮影できる。
【００１９】
(b)膨大部２０の鏡面２１が凸面鏡２１Ａをなすことにより、左右の奥歯１０１、１０１の外幅Ｗ１より狭くて口を無理に開ける必要がなく、口腔内への挿入に苦痛を与えない膨大部２０を用いながら、上あご側の全歯列及び歯肉の全範囲を一気に映し出して視認又は撮影できる。また、診察台の照明の光、又はカメラのフラッシュの光を凸面鏡２１Ａにより口腔内の奥深くに渡る広い範囲に投射して明るくできる。
【００２０】
図４に示すデンタルミラー１Ａが図１に示したデンタルミラー１と異なる点は、膨大部２０の円形状外縁の先端部（長尺部１０の軸方向における長尺部１０と反対側）を、長尺部１０の軸方向に垂直な直線に沿って切除した如くの直線状外縁部２０Ａとした構成である。これによれば、膨大部２０の先端部を口腔内の喉奥面に当てることなく奥深くまで挿入でき、奥歯１０１等をくまなく視認又は撮影することができる。
【００２１】
図５に示すデンタルミラー１Ｂが図１に示したデンタルミラー１と異なる点は、膨大部２０の円形状外縁の先端部（長尺部１０の軸方向における長尺部１０と反対側）を、長尺部１０の軸方向に交差する凹み状に形成した凹み状外縁部２０Ｂとした構成である（長尺部１０の方向に凹んで形成した凹み状外縁部２０Ｂである）。これによれば、膨大部２０の先端部を口腔内の喉奥面に当てることなく奥深くまで挿入でき、奥歯１０１等をくまなく視認又は撮影することができる。
【００２２】
図６に示すデンタルミラー１Ｃが図１に示したデンタルミラー１と異なる点は、膨大部２０の円形状外縁の先端側（長尺部１０の軸方向における長尺部１０と反対側）の両側部を長尺部１０の軸方向に垂直な方向において広い幅にし、かつ膨大部２０の円形状外縁の先端部を長尺部１０の軸方向に交差する凹み状に形成し（長尺部１０の方向に凹んで形成し）、広凹み状外縁部２０Ｃとしたものである。これによれば、膨大部２０の先端部を口腔内の喉奥面に当てることなく奥深くまで挿入でき、奥歯１０１等をより広い範囲に渡ってくまなく視認又は撮影することができる。
【００２３】
図４〜６に示すデンタルミラー１Ａ、１Ｂ、１Ｃのいずれにおいても膨大部２０の鏡面２１は凸面鏡をなし、膨大部２０の先端部を口腔内の喉奥面に当てることなく奥深くまで挿入できるとともに、鏡面２１の凸面鏡によって奥歯１０１の裏側を広い範囲に亘ってくまなく視認又は撮影することができる。
【図面の簡単な説明】
【００２４】
【図１】図１はデンタルミラーを示す模式図である。
【図２】図２はデンタルミラーの長尺部の使用状況を示す模式図である。
【図３】図３はデンタルミラーの膨大部の使用状況を示す模式図である。
【図４】図４はデンタルミラーの第２実施形態を示す。
【図５】図５はデンタルミラーの第３実施形態を示す。
【図６】図６はデンタルミラーの第４実施形態を示す。
【符号の説明】
【００２５】
１、１Ａ、１Ｂ、１Ｃ  デンタルミラー
１０  長尺部
１１  鏡面
２０  膨大部
２１  鏡面
２１Ａ  凸面鏡
【図１】
0003149143.tif 000003
【図２】
0003149143.tif 000004
【図３】
0003149143.tif 000005
【図４】
0003149143.tif 000006
【図５】
0003149143.tif 000007
【図６】
0003149143.tif 000008